(57)【要約】【課題】画像データを取得するための読取光学系の被写界深度が小さいイメージスキャナ等の画像読取装置で、画像形成面がプラテンガラスから離隔した位置となる原稿媒体であっても、その画像データを含む光が光電変換素子に確実に結像させることができるようにした画像読取装置を提供する。【解決手段】スライド用フィルム等マウント付き原稿媒体では画像形成面がプラテンガラスから離隔した位置となる。プラテンガラス８を２枚のガラス板で構成し、上部のガラス板８ｂを着脱可能とする。平面的原稿媒体では上部のガラス板８ｂをガラス板８ａに重畳させ、マウント付き原稿媒体ではガラス板８ｂを取り外し、画像データを取得する。ガラス板８ｂの肉厚を、その空気中換算光路長がマウント付き原稿媒体のマウント表面から画像形成面までの距離と等しくすれば、読取光学系の空気中換算光路長を原稿媒体の種類に拘わらず等しくできる。【選択図】        図１
2004264444.tif 000002
【特許請求の範囲】
【請求項１】
原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、
前記プラテンガラスを、複数枚のガラスを重ね合わせて構成し、
該複数枚のガラスの上部のものを着脱自在として、装着時と離脱時とで前記読取光学系の空気中換算光路長が等しい大きさに保たれることを特徴とする画像読取装置。
【請求項２】
原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、
前記プラテンガラスとキャリッジとの間隔をキャリッジの走査区間によって異ならせ、各々の走査区間を、平面的な原稿媒体とマウント付き原稿媒体とに対応させて、前記読取光学系の空気中換算光路長が等しい大きさに保たれることを特徴とする画像読取装置。
【請求項３】
前記プラテンガラスの裏面に摺動案内シートを貼着し、
前記キャリッジを、前記摺動案内シートに擦過させて移動可能とし、
前記キャリッジの移動範囲の一部で該摺動案内シートの案内面位置を異ならせて、前記読取光学系の空気中換算光路長が等しい大きさに保たれることを特徴とする請求項２に記載の画像読取装置。
【請求項４】
原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、
前記プラテンガラスとキャリッジの間隔を、該キャリッジの一方向と他方向の移動方向に応じて、キャリッジに付与される移動のための駆動力によって異ならせ、各々の移動方向を、平面的な原稿媒体とマウント付き原稿媒体とに対応させて、前記読取光学系の空気中換算光路長が等しい大きさに保たれることを特徴とする画像読取装置。
【請求項５】
前記キャリッジと前記プラテンガラスとの間に、該プラテンガラスに接触する転動体を設け、該転動体を前記キャリッジの凹所に収容すると共に、該凹所の底面に前記読取光学系の光軸方向の位置が異なる第１底面と第２底面とを形成し、キャリッジの移動方向に応じて前記転動体を第１底面と第２底面とのいずれか一方に位置させることにより、前記読取光学系の空気中換算光路長が等しい大きさに保たれることを特徴とする請求項４に記載の画像読取装置。
【請求項６】
前記キャリッジに切替手段を揺動可能に軸支させ、該切替手段を前記プラテンガラスの裏面に接触させると共に、その揺動位置に応じて切替手段の支持軸とプラテンガラスとの接触位置との距離を可変とし、キャリッジの移動方向に応じて前記切替手段をいずれかの方向に揺動させることにより、前記読取光学系の空気中換算光路長が等しい大きさに保たれることを特徴とする請求項４に記載の画像読取装置。
【請求項７】
前記切替手段が偏芯カムであることを特徴とする請求項６に記載の画像読取装置。
【請求項８】
原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、
前記キャリッジに対して往復移動可能に作動手段を設け、
前記作動手段に連繋させて、前記プラテンガラスとキャリッジとの間の距離を変更する高さ変更手段を設け、
前記作動手段を、前記キャリッジを一の方向に移動させることにより前進させ、キャリッジを他の方向に移動させることにより後退させ、
前記作動手段の進退に応じて、前記高さ変更手段が動作して、プラテンガラスとキャリッジとの間の距離を変更することにより、前記読取光学系の空気中換算光路長が等しい大きさに保たれることを特徴とする画像読取装置。
【請求項９】
前記高さ変更手段は、前記キャリッジの移動によりプラテンガラスを擦過する前記作動手段に形成した膨出部と、前記キャリッジに形成し該膨出部を収容する凹所と、該凹所の底面に形成した、前記読取光学系の光軸方向の位置が異なる第１底面と第２底面とにより構成し、
前記作動手段の進退に応じて、前記膨出部が第１底面または第２底面とのいずれか一方に位置させてなることを特徴とする請求項８に記載の画像読取装置。
【請求項１０】
前記高さ変更手段は、前記キャリッジの移動によりプラテンガラスを転動する該キャリッジに保持させた転動体と、前記作動手段に形成した該転動体を収容する凹所と、該凹所の底面に形成した、前記読取光学系の光軸方向の位置が異なる第１底面と第２底面とにより構成し、
前記作動手段の進退に応じて、前記転動体が第１底面または第２底面とのいずれか一方に位置させてなることを特徴とする請求項８に記載の画像読取装置。
【請求項１１】
前記高さ変更手段は、前記作動手段に対して摺動可能で、かつ、回動可能で、プラテンガラスを擦過する円筒偏芯カムからなり、作動手段の進退に応じて該円筒偏芯カムが回動し、プラテンガラスとの接触位置が変更されることを特徴とする請求項８に記載の画像読取装置。
【請求項１２】
前記作動手段とキャリッジとの間にローラを介在させ、該作動手段のキャリッジに対する往復移動を該ローラの回動で案内することを特徴とする請求項８ないし請求項１０のいずれかに記載の画像読取装置。
【請求項１３】
原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、
前記原稿の画像形成されている画像形成面とプラテンガラスとの距離が変更された場合であっても、前記読取光学系の空気中換算光路長が等しい大きさに保たれることを特徴とする画像読取装置。
【発明の詳細な説明】
【０００１】
【発明の属する技術分野】
この発明は、ＰＰＣ用紙や印画紙その他各種用紙、フィルム等の原稿媒体に形成された画像を、例えばパーソナルコンピュータを介して記録媒体に格納するのに適したデータに変換して、該画像について画像データとして取得するのに適した画像読取装置に関し、特に原稿媒体の原稿面が、取得すべき画像を設置するための基準位置と異なる位置に置かれた場合でも確実に画像データを取得することができるようにした画像読取装置に関する。
【０００２】
【従来の技術】
近年のパーソナルコンピュータの普及により、写真や文字原稿その他の画像を画像データとして記憶媒体に格納して記憶し、所望により印刷したり、データとして配布したりすることが便利となっている。この種の画像を画像データとして読み取るのに、画像読取装置、特にイメージスキャナが用いられる。
【０００３】
この種のイメージスキャナは、画像データを取得すべき画像が形成された印画紙やフィルム等の原稿媒体を載置する透明ガラス板からなるプラテンガラスを備え、該プラテンガラスに載置された原稿媒体に光を照射し、その反射光を光電変換素子で捕捉することにより該原稿媒体に形成された画像に関する画像データを取得する。この光電変換素子の代表的なものとして、ＣＣＤ（電荷結合素子）がよく知られている。画像データの取得に際しては、プラテンガラスに沿ってキャリッジを走行させながら行う。すなわち、該キャリッジに、原稿媒体を照明する光源と、その反射光に含まれた画像データを捕捉する光電変換素子、反射光を該光電変換素子に導く光路を構成する読取光学系とが搭載され、このキャリッジを走行させながら、原稿媒体の画像を読取走査して画像データを取得するものである。
【０００４】
ところで、パーソナルコンピュータの一般家庭への普及は、これを設置するスペースの確保が問題となり、さらに、イメージスキャナ等の周辺機器が増加することによりますます設置スペースの確保が困難となる場合が生じる。このため、周辺機器の小型化が図られ、イメージスキャナではより薄型化して、不使用時には縦置きにして、例えばパーソナルコンピュータを設置した机等の脚部の隙間等に収納できるようにしてある。
【０００５】
イメージスキャナの薄型化を図るために、本件出願人はキャリッジの薄型化を図る画像読取装置を、既に提案した（特願２００２−０９６７６０号参照）。
【０００６】
図２１及び図２２は画像読取装置としてのイメージスキャナ１の概略の構造を示す図で、図２１は斜視図であり、図２２は分解斜視図である。イメージスキャナ１は、合成樹脂または金属によって矩形に組み立てられる筐体２にキャリッジ３が、図２２上矢標Ｓ方向に往復移動可能に収容されている。キャリッジ３の一端部は、矢標Ｓと平行な方向に筐体２に掛け渡されたガイドロッド４に連繋され、他端部にはローラ４ａが回動自在に支持されており、キャリッジ４の往復移動を案内している。ガイドロッド４に連繋した端部には、駆動ベルト５が連繋している。駆動ベルト５は、筐体２の隅部であって、ガイドロッド４の端部の近傍に回転可能に支持された一対のプーリ６ａ、６ｂに掛け渡されており、一方のプーリ６ａに駆動モータ７の出力回転が伝達されるようにしてある。すなわち、駆動モータ７の出力回転によって駆動ベルト５が移動し、これに連繋したキャリッジ４が移動するようにしてある。なお、駆動モータ７は可逆回転可能のものとされており、その回転方向に応じてキャリッジ４は往復移動することになる。
【０００７】
前記キャリッジ１と、駆動モータ７や駆動ベルト５、プーリ６ａ、６ｂからなる駆動機構を収容した筐体２の上面には、透明なプラテンガラス８が被せられる。また、底面は底板９で閉じられる。なお、該底板９を透明なガラス板で構成することもでき、例えばこのイメージスキャナ１を机上等に載置された原稿媒体に被せた状態にして該原稿媒体に形成された画像に関する画像データを取得する場合には、イメージスキャナ１が被せられた原稿媒体の位置を確認できるので好ましい。なお、一般的には前記プラテンガラス８に画像が形成されたＰＰＣ用紙や印画紙等の原稿媒体を載置して、これらの画像データを取得するようする。また、前記キャリッジ３は、該キャリッジ３の円滑な移動を阻害しない程度に、プラテンガラス８に押圧されており、例えば底板９とキャリッジ３との間に、圧縮コイルバネ等からなる図示しない付勢手段を介在させてある。また、プラテンガラス８には、キャリッジが押圧される部分に円滑な摺動を行わせるように、摺動案内シート等が貼着されているものもある。
【０００８】
前記キャリッジ３には、図２０に示すように、プラテンガラス８上の原稿媒体を照明する光源１０と、原稿媒体で反射した光を受光して該光に含まれた画像データを取得するＣＣＤ等からなるラインセンサ１４と、原稿媒体での反射光をラインセンサ１４に導く第１反射鏡１１、第２反射鏡１３、これら第１反射鏡１１と第２反射鏡１３との間にあって反射光を前記ラインセンサ１４に結像させるロッドレンズアレイ１２とが搭載されている。なお、前記ラインセンサ１４はセンサ基板１４ａ  に組み込まれた状態でキャリッジ３に取り付けられている。
【０００９】
【特許文献１】
特願２００２−０９６７６０
【００１０】
【発明が解決しようとする課題】
しかしながら、イメージスキャナの薄型化が促進されるに従って次のような問題が生じるおそれがある。薄型化を図るためには、前記キャリッジを薄型化し、前記読取光学系の設置スペースを小さくすることになる。読取光学系の小型化を図るために、この光学系に、多数の屈折率分布型レンズが配列されてなるロッドレンズアレイが用いられている。このロッドレンズアレイは被写界深度が小さいため、原稿媒体からラインセンサに至る空気中換算光路長が変化すると、原稿媒体の画像がラインセンサの受光面に結像しなくなるおそれがある。通常の原稿媒体は、ＰＰＣ用紙や印画紙等で、これらの表面に画像が形成されているから、この画像形成面を前記プラテンガラスに密着させて載置させることができる。
【００１１】
ところで、写真等の画像をデータ化し記録媒体できることは、これらの画像を保存するのに便利である。この利便性から、ＰＰＣ用紙や印画紙等の平面的な原稿媒体以外に形成された画像のデータ化が要求されるようになっている。特に、いわゆるスライド用フィルムに形成されている画像のデータ化が要求されている。このスライド用フィルムは、投影機に供するのに便利なように、画像が形成されたフィルムを厚紙や合成樹脂によるマウントに保持させてある。このスライド用フィルムから画像データを取得する場合に、これをプラテンガラスに載置させると、フィルムがマウントに保持させているため、フィルム面における画像形成面がプラテンガラスの表面から離隔することになる。前述したように、読取光学系の被写界深度が小さいため、画像形成面から離隔した位置に画像形成面がある場合には、ラインセンサの受光面に反射光を結像させることができず、取得された画像データを基に再生した画像に鮮明さを欠くおそれがある。
【００１２】
そこで、この発明は、画像形成面がプラテンガラスの表面から離隔した位置に位置した場合、特にスライド用フィルムの場合にも、反射光をラインセンサの受光面に結像させることができるようにして、取得された画像データを基に再生した画像を鮮明なものとすることができるよう、画像データを確実に取得できる画像読取装置を提供することを目的としている。
【００１３】
【課題を解決するための手段】
前記の目的を達成するための技術的手段として、請求項１の発明に係る画像読取装置は、原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、前記プラテンガラスを、複数枚のガラスを重ね合わせて構成し、該複数枚のガラスの上部のものを着脱自在として、装着時と離脱時とで前記読取光学系の空気中換算光路長が等しい大きさに保たれることを特徴としている。
【００１４】
すなわち、ＰＰＣ用紙や印画紙等の平面的な原稿媒体の場合には、複数枚のガラスを重ね合わせた状態で該原稿媒体をプラテンガラスに載置させる。一方、スライド用フィルムのようなマウント付きの原稿媒体の場合には上部のガラスを取り外した状態にして載置させる。ここで着脱するガラスの肉厚を、その空気中換算光路長がスライド用フィルムのマウントの表面から原稿形成面までの距離とほぼ等しいものとしてあれば、平面的な原稿媒体とマウント付きの原稿媒体とのいずれの原稿形成面からも読取光学系の空気中換算光路長を等しく一定とすることができる。
【００１５】
また、請求項２の発明に係る画像読取装置は、原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、前記プラテンガラスとキャリッジとの間隔をキャリッジの走査区間によって異ならせ、各々の走査区間を、平面的な原稿媒体とマウント付き原稿媒体とに対応させて、前記読取光学系の空気中換算光路長が等しい大きさに保たれることを特徴としている。
【００１６】
例えば、走査区間を２つに区切り、一方の区間を平面的な原稿媒体のための走査区間とし、他方の区間をマウント付き原稿媒体のための走査区間とする。平面的な原稿媒体の画像データを取得するには、プラテンガラスの当該区間に対応する部分に原稿を載置させ、当該部分でキャリッジを移動させて画像データを取得する。また、マウント付き原稿媒体の画像データを取得する場合には、当該区間に対応した部分のプラテンガラスに原稿を載置させ、当該部分でキャリッジを移動させて画像データを取得する。
【００１７】
なお、キャリッジの移動範囲は原稿媒体の種類に拘わらず、プラテンガラスの全域に対応させて移動させ、原稿媒体に応じて、対応する区間でのみ画像データの捕捉のための読取走査を行うようにしてもかまわない。さらに、原稿媒体の種類に拘わらず、プラテンガラスの全域の移動範囲で読取走査を行い、捕捉された画像データに関して、必要な画像データのみを取得する処理を行っても構わない。
【００１８】
また、請求項３の発明に係る画像読取装置は、前記空気中換算光路長を等しく一定とするために、前記プラテンガラスの裏面に摺動案内シートを貼着し、前記キャリッジを、前記摺動案内シートに擦過させて移動可能とし、前記キャリッジの移動範囲の一部で該摺動案内シートの案内面位置を異ならせて、前記読取光学系の空気中換算光路長が等しい大きさに保たれることを特徴とするものである。
【００１９】
案内面位置が異なることにより、これを擦過して移動するキャリッジは、プラテンガラスからの距離が異なって移動することができる。このため、平面的な原稿媒体の画像データを取得する場合には、キャリッジをプラテンガラスからの距離が大きい部分の案内面位置を擦過させ、マウント付きの原稿媒体の場合にはプラテンガラスからの距離が小さい部分の案内面位置を擦過させる。この案内面位置の間の距離をマウントの表面から原稿形成面までの距離とほぼ等しいものとしてあれば、平面的な原稿媒体とマウント付き原稿媒体とのいずれの原稿形成面からも読取光学系の空気中換算光路長を等しく一定とすることができる。
【００２０】
また、請求項４の発明に係る画像読取装置は、前記空気中換算光路長を等しく一定とするために、原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、前記プラテンガラスとキャリッジの間隔を、該キャリッジの一方向と他方向の移動方向に応じて、キャリッジに付与される移動のための駆動力によって異ならせ、各々の移動方向を、平面的な原稿媒体とマウント付き原稿媒体とに対応させて、前記読取光学系の空気中換算光路長が等しい大きさに保たれることを特徴としている。
【００２１】
すなわち、キャリッジの移動方向によって画像データを取得すべき原稿媒体の種類を異ならせたものである。原稿媒体の種類によってキャリッジとプラテンガラスとの間の距離を変更する必要があるが、この変更動作を、キャリッジの移動のための駆動力によって行わせる。キャリッジを一の方向へ移動させる駆動力は常に同方向に作用するから、この駆動力を受けて一の動作で作動すると共に、他の方向へのキャリッジの移動によって他の動作で作動する作動手段を設ければよい。
【００２２】
また、請求項５の発明に係る画像読取装置は、プラテンガラスとキャリッジとの間の距離を変更するものとして、前記キャリッジと前記プラテンガラスとの間に、該プラテンガラスに接触する転動体を設け、該転動体を前記キャリッジの凹所に収容すると共に、該凹所の底面に前記読取光学系の光軸方向の位置が異なる第１底面と第２底面とを形成し、キャリッジの移動方向に応じて前記転動体を第１底面と第２底面とのいずれか一方に位置させることにより、前記読取光学系の空気中換算光路長が等しい大きさに保たれることを特徴とするものである。
【００２３】
前記転動体が、第１底面に位置した状態と、第２底面に位置した状態とでは、これら第１底面と第２底面の読取光学系の光軸上の位置が異なるから、キャリッジとプラテンガラスとの間の距離が異なる。例えば、第１底面の方が第２底面よりもプラテンガラスに近接している場合、転動体が第１底面に位置している状態の方が、キャリッジがプラテンガラスから大きく離隔し、第２底面に位置している場合よりもプラテンガラスから光電変換素子までの光軸に沿った長さが長くなる。これら第１底面と第２底面との間の距離を、マウントの表面から画像形成面までの距離とほぼ等しくする。これにより、転動体を、平面的な原稿媒体では第１底面に、マウント付きの原稿媒体では第２底面に、それぞれ位置させた状態で画像データを取得すれば、いずれの原稿形成面から光電変換素子までの読取光学系の空気中換算光路長を等しく一定とすることができる。
【００２４】
また、上記転動体はキャリッジの走行方向に応じて第１底面または第２底面に位置するから、キャリッジを一の方向へ移動させる場合には平面的な原稿媒体の画像データを、他の方向へ移動させる場合にはマウント付きの原稿媒体の画像データを取得できる。
【００２５】
また、請求項６の発明に係る画像読取装置は、前記キャリッジに切替手段を揺動可能に軸支させ、該切替手段を前記プラテンガラスの裏面に接触させると共に、その揺動位置に応じて切替手段の支持軸とプラテンガラスとの接触位置との距離を可変とし、キャリッジの移動方向に応じて前記切替手段をいずれかの方向に揺動させることにより、前記読取光学系の空気中換算光路長が等しい大きさに保たれることを特徴としている。
【００２６】
前記切替手段の揺動位置により、該切替手段の支持軸とプラテンガラスとの距離が変更される。この支持軸はキャリッジに支持されているから、該キャリッジとプラテンガラスとの距離が変更されることになる。例えば、切替手段の揺動により、キャリッジとプラテンガラスとの距離が２通りに変化するとし、これらの距離の差をマウント付きの原稿媒体のマウントの表面から画像形成面までの距離とほぼ等しくしてあるとする。したがって、前記距離が大きくなる状態で平面的な原稿媒体の、小さくなる状態でマウント付きの原稿媒体の画像データをそれぞれ取得するようにすれば、それぞれの画像形成面から光電変換素子に至る読取光学系の空気中換算光路長が等しく一定となる。
【００２７】
また、前記切替手段はキャリッジの移動方向に応じて揺動位置が変更されるから、キャリッジを一の方向へ移動させる場合には平面的な原稿媒体の画像データを、他の方向へ移動させる場合にはマウント付きの原稿媒体の画像データを取得できる。
【００２８】
また、請求項７の発明に係る画像読取装置は、前記切替手段が偏芯カムであることを特徴としている。
【００２９】
偏芯カムでは、支持軸が該カムの中心から偏倚しているから、該支持軸からカム面までの距離を容易に変更することができる。また、このカム面がプラテンガラスに接触するから、簡単な構造で、容易に支持軸とプラテンガラスまでの距離を変更させることができる。
【００３０】
また、請求項８の発明に係る画像読取装置は、原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、前記キャリッジに対して往復移動可能に作動手段を設け、前記作動手段に連繋させて、前記プラテンガラスとキャリッジとの間の距離を変更する高さ変更手段を設け、前記作動手段を、前記キャリッジを一の方向に移動させることにより前進させ、キャリッジを他の方向に移動させることにより後退させ、前記作動手段の進退に応じて、前記高さ変更手段が動作して、プラテンガラスとキャリッジとの間の距離を変更することにより、前記読取光学系の空気中換算光路長が等しい大きさに保たれることを特徴としている。
【００３１】
キャリッジを一の方向に移動させ、前記作動手段の一方の先端部をイメージスキャナの筐体の一方の壁面に当接させて、該作動手段を前進させる。また、キャリッジを他の方向に移動させ、作動手段の他端部を他方の壁面に当接させて、該作動手段を後退させる。この作動手段の進退動作によって、該作動手段とキャリッジとの連繋位置が変更される。この連繋位置の変更によって、前記高さ変更手段を作動させて、プラテンガラスとキャリッジとの間の距離を変更させる。例えば、この連繋位置の変更に応じて、該距離が二位置で変更されるとし、その距離の差をマウント付きの原稿媒体のマウント表面から画像形成面までの距離とほぼ等しくする。これにより、一方の位置の距離では平面的な原稿媒体の、他方の位置の距離ではマウント付きの原稿媒体の画像データを取得するようにすれば、いずれの場合であっても、画像形成面から光電変換素子に至る読取光学系の空気中換算光路長を等しい大きさに保つことができる。
【００３２】
なお、前記作動手段を進退させるためのキャリッジの移動方向は、原稿媒体の画像データを読み取るために移動させる方向であっても、また、この方向と直交する方向であっても構わない。
【００３３】
また、請求項９の発明に係る画像読取装置は、前記高さ変更手段は、前記キャリッジの移動によりプラテンガラスを擦過する前記作動手段に形成した膨出部と、前記キャリッジに形成し該膨出部を収容する凹所と、該凹所の底面に形成した、前記読取光学系の光軸方向の位置が異なる第１底面と第２底面とにより構成し、前記作動手段の進退に応じて、前記膨出部が第１底面または第２底面とのいずれか一方に位置させてなることを特徴としている。
【００３４】
前記第１底面と第２底面とを、例えば、第１底面の方が第２底面よりもプラテンガラスから離隔させて、これら底面間の距離の差を、マウント付きの原稿媒体のマウント表面から画像形成面までの距離とほぼ等しくする。したがって、前記膨出部が第１底面に位置している場合に、キャリッジとプラテンガラスとは接近し、第２底面に位置している場合には離隔する。このため、膨出部を、平面的な原稿媒体の場合には第１底面に位置させ、マウント付きの原稿媒体の場合には第２底面に位置させて画像データを取得するようにすれば、いずれの場合も読取光学系の空気中換算光路長が等しく一定となる。
【００３５】
また、請求項１０の発明に係る画像読取装置は、前記高さ変更手段は、前記キャリッジの移動によりプラテンガラスを転動する該キャリッジに保持させた転動体と、前記作動手段に形成した該転動体を収容する凹所と、該凹所の底面に形成した、前記読取光学系の光軸方向の位置が異なる第１底面と第２底面とにより構成し、前記作動手段の進退に応じて、前記転動体が第１底面または第２底面とのいずれか一方に位置させてなることを特徴としている。
【００３６】
前記第１底面と第２底面とを、例えば、第１底面の方が第２底面よりもプラテンガラスから離隔させて、これら底面間の距離の差を、マウント付きの原稿媒体のマウント表面から画像形成面までの距離とほぼ等しくする。したがって、前記転動体が第１底面に位置している場合に、キャリッジとプラテンガラスとは接近し、第２底面に位置している場合には離隔する。このため、転動体を、平面的な原稿媒体の場合には第１底面に位置させ、マウント付きの原稿媒体の場合には第２底面に位置させて画像データを取得するようにすれば、いずれの場合も読取光学系の空気中換算光路長が等しく一定となる。
【００３７】
また、請求項１１の発明に係る画像読取装置は、前記高さ変更手段は、前記作動手段に対して摺動可能で、かつ、回動可能で、プラテンガラスを擦過する円筒偏芯カムからなり、作動手段の進退に応じて該円筒偏芯カムが回動し、プラテンガラスとの接触位置が変更されることを特徴としている。
【００３８】
作動手段が壁面に当接すると、該作動手段が円筒偏芯カムに対して摺動し、該円筒偏芯カムが回動する。これにより、該円筒偏芯カムのプラテンガラスに対する接触位置が変更される。例えば、円筒偏芯カムが回動した二位置に位置し、一方の位置と他方の位置との間で、マウント付きの原稿媒体のマウント表面から画像形成面までの距離とほぼ等しい距離の差を設けておけば、キャリッジとプラテンガラスとの距離が大きくなる一方の位置にある状態で平面的な原稿媒体の、他方の位置にある状態でマウント付きの原稿媒体の、画像データをそれぞれ取得すれば、画像形成面から光電変換素子までの空気中換算光路長が等しく一定となる。
【００３９】
また、請求項１２の発明に係る画像読取装置は、前記作動手段とキャリッジとの間にローラを介在させ、該作動手段のキャリッジに対する往復移動を該ローラの回動で案内することを特徴としている。
【００４０】
すなわち、作動手段が移動する場合には前記ローラが回動するため、該作動手段とキャリッジとの間の摩擦力が軽減されるから、作動手段が円滑に移動する。
【００４１】
また、請求項１３の発明に係る画像読取装置は、原稿を載置させるプラテンガラスを備え、前記プラテンガラスを透過させて前記原稿に光を照射する光源と、原稿からの反射光を入射させて、該反射光に含まれた前記原稿に形成された画像に関する画像情報を取得する光電変換素子と、ロッドレンズアレイを備えて該光電変換素子に前記反射光を導く読取光学系とを、前記プラテンガラスの裏面に臨んだキャリッジに配設し、該キャリッジをプラテンガラスに沿って移動させて原稿の画像に関する画像情報を順次取得する画像読取装置において、前記原稿の画像形成されている画像形成面とプラテンガラスとの距離が変更された場合であっても、前記読取光学系の空気中換算光路長が等しい大きさに保たれることを特徴としている。
【００４２】
すなわち、ＰＰＣ用紙や印画紙等の平面的な原稿媒体は、前記プラテンガラスに密着させて載置できるから、原稿形成面はプラテンガラスの表面とほぼ一致する。また、スライド用フィルムの場合には、マウントの表面から画像形成面までの距離に相当する分、原稿形成面がプラテンガラスの表面から離隔することになる。このため、平面的な原稿媒体の原稿形成面とスライド用フィルムのように肉厚を有する原稿媒体の原稿形成面とでは、プラテンガラスの表面までの距離が異なり、読取光学系の空気中換算光路長が異なっている。この差をプラテンガラスの原稿側表面からロッドレンズアレイまでの空気中換算光路長を切り換えることによって、原稿の画像形成面とロッドレンズアレイ間の空気中換算光路長を一定に保ち、光電変換素子の受光面に原稿媒体の原稿形成面における反射光を結像させることができる。この場合には、読取倍率の変化を伴わないので好ましい。
【００４３】
【発明の実施の形態】
以下、図示した好ましい実施の形態に基づいて、この発明に係る画像読取装置を具体的に説明する。
【００４４】
図１及び図２は、第１実施形態に係る画像読取装置の概略構造を示している。前記キャリッジ３には、図示しない光源が具備されており、この光源から発せられた光をプラテンガラス８に載置された原稿媒体に照射する。なお、原稿媒体は、ＰＰＣ用紙や印画紙やフィルムのように平面的なものに画像が形成されたものや、スライド用フィルムのようにマウントによって保持されているものを含む。また、キャリッジ３には、第１反射鏡１１とロッドレンズアレイ１２、第２反射鏡１３、ＣＣＤ等の光電変換素子からなるラインセンサ１４とが搭載されている。なお、ラインセンサ１４はセンサー用基板１５に組み込まれて、該センサー用基板１５がキャリッジ３に搭載されている。
【００４５】
プラテンガラス８に載置された前記原稿媒体で反射した光は、第１反射鏡１１で反射され、ロッドレンズアレイ１２を透過し、さらに第２反射鏡１３で反射してラインセンサ１４に入射するようにしてあり、原稿媒体からラインセンサ１４に至る読取光学系が形成されている。
【００４６】
ところで、平面的な原稿媒体とスライド用フィルムのようなマウント付き原稿媒体とでは、プラテンガラス８にこれら原稿媒体を載置させた状態で、これら原稿媒体の画像が形成されている画像形成面から前記ラインセンサ１４に至る読取光学系の空気中換算光路長が異なっている。すなわち、マウント付き原稿媒体では、マウントの表面と画像形成面とが一致しておらず、プラテンガラス８に該原稿媒体を載置させた状態で、画像形成面がプラテンガラス８の表面から離隔することになる。そこで、この第１実施形態に係る画像読取装置は、プラテンガラス８を第１ガラス８ａと第２ガラス８ｂとの２枚のガラス板により構成してある。第１ガラス８ａは、筐体２に固定されており、第２ガラス８ｂは第１ガラス８ａに重畳させた状態と、第１ガラス８ａから外した状態とに着脱自在とされている。また、第２ガラス８ｂの肉厚は、その空気中換算光路長がマウント付き原稿媒体のマウント表面と画像形成面との距離とほぼ等しくされている。
【００４７】
この第１実施形態に係る画像読取装置では、平面的な原稿媒体に形成された画像のデータを取得する場合には、前記第２ガラス８ｂを第１ガラス８ａに重畳させた状態で行い、マウント付きの原稿媒体の場合には第２ガラス８ｂを外した状態で行う。このため、これら原稿媒体の画像形成面から前記ラインセンサ１４に至る空気中換算光路長がいずれの場合も等しく一定となる。したがって、画像形成面での反射光はラインセンサ１４の受光面に確実に結像することになり、いずれの原稿媒体でも、確実に画像データを取得することができる。
【００４８】
図３及び図４は、第２実施形態を示す図である。この実施形態では、プラテンガラス８の裏面に貼付した摺動案内シート１６の一部に、プラテンガラス８との間にスペーサ１７を介在させてある。キャリッジ３は、前述したように、プラテンガラス８に押圧された状態で移動するようにしてあるが、この移動を円滑に行わせるため、キャリッジ３と間の摩擦力を減少させる摺動案内シート１６を貼着し、これにキャリッジ３が押圧されるようにしてある。すなわち、この摺動案内シート１６の表面が案内面となってキャリッジ３の移動を案内する。そして、この摺動案内シート１６の一部を、前記スペーサ１７を介在させてプラテンガラス８に貼着したものである。このスペーサ１７の厚さは、マウント付きの原稿媒体のマウント表面から画像形成面までの距離とほぼ等しくしてある。したがって、キャリッジ３は、スペーサ１７を介在させた部分と介在させていない部分とでは、移動する高さ位置が異なることになり、案内面の位置が異なっている。
【００４９】
すなわち、平面的な原稿媒体の場合にはスペーサ１７が介在させてある部分で、マウント付き原稿媒体の場合にはスペーサ１７が介在していない部分で、それぞれ画像データを取得するようにすれば、いずれも画像形成面からラインセンサ１４に至る空気中換算光路長が等しく一定となり、確実に画像データを取得することができる。
【００５０】
図５及び図６には、第３実施形態を示している。この実施形態は、キャリッジ３に転動体２１を具備させたものである。キャリッジ３のプラテンガラス８に対向した面には前記転動体２１を収容する凹所２２が形成されている。この凹所２２の底面は段付きとされて第１底面２２ａ  と第２底面２２ｂ  とが形成されており、これらの底面２２ａ  、２２ｂ  とは傾斜面２２ｃ  で連絡されている。これら底面２２ａ  、２３ｂ  の段差は、マウント付き原稿媒体のマウント表面から画像形成面までの距離とほぼ等しくしてある。すなわち、これら第１底面２２ａ  と第２底面２２ｂ  は、読取光学系の光軸方向の位置を異ならせてある。
【００５１】
この第３実施形態による画像読取装置で、前記転動体２１を第１底面２２ａ  に位置させた状態で平面的な原稿媒体の画像データを、第２底面２２ｂ  に位置させた状態でマウント付き原稿媒体の画像データを、それぞれ取得する。転動体２１を第１底面２２ａ  に位置させるには、キャリッジ３を図５上矢標Ｐ方向へ移動させる。この移動により、転動体２１はプラテンガラス８に押圧されている摩擦力を受けて、凹所２２内を反矢標Ｐ方向に移動するから、傾斜面２２ｃ  を上って第１底面２２ａ  まで移動する。その後のキャリッジ３の移動では、転動体２１は凹所２２の壁面に拘束されて移動することがなく、プラテンガラス８に対して擦過することになる。他方、転動体２１を第２底面２２ｂ  に移動させるには、キャリッジ３を図６上矢標Ｑ方向へ移動させる。この移動により転動体がプラテンガラス３との摩擦力によって反矢標Ｑ方向に移動するから、傾斜面２２ｂ  を下って第２底面２２ｂ  まで移動し、その後のキャリッジ３の移動ではプラテンガラス３に対して擦過することになる。
【００５２】
そして、転動体２１が第１底面２２ａ  に位置した状態では平面的な原稿媒体の画像データを、第２底面２２ｂ  に位置した状態ではマウント付き原稿媒体の画像データを、それぞれ取得する。すなわち、第１底面２２ａ  と第２底面２２ｂ  の段差は、マウント表面から画像形成面までの距離とほぼ等しくしてあるから、いずれの原稿媒体であっても、画像形成面からラインセンサ１４までの空気中換算光路長は等しく一定となり、これら原稿媒体の画像データを確実に取得することができる。
【００５３】
なお、転動体２１としては、凹所２２内を円滑に転動するものであれば、球体であっても、あるいは円柱状のコロであっても構わない。
【００５４】
図７及び図８には、第４実施形態を示している。この実施形態では、キャリッジ３に該キャリッジ３の読取走査方向と直交する方向（主走査方向）を軸２６ａ  として揺動可能に切替手段としての偏芯カム２６が支持されているものである。この偏芯カム２６は、キャリッジ３に形成された凹所２７に収容されており、該凹所２７内で揺動可能とされており、上端部がプラテンガラス８に接触するようにしてある。そして、この揺動位置によって、軸２６ａ  から上端部の位置までの距離が異なるようにしてある。すなわち、該偏芯カム２６はほぼ半月形に形成されてその円弧状の面がカム面とされており、その揺動位置は該半月形の直線部の端部が凹所２７の底面と当接することにより規制されている。このため、一方の端部２６ｂ  が底面に当接した状態と他方の端部２６ｃ  が底面に当接した状態とでは、軸２６ａ  から上端部までの距離が異なることになる。そして、直線部の一方の端部２６ｂ  が当接した状態における軸２６ａ  から上端部までの距離と、他方の端部２６ｃ  が当接した状態における該距離との差を、マウント付き原稿媒体のマウント表面から画像形成面までの距離とほぼ等しくしてある。なお、この実施形態では、軸２６ａ  から上端部までの距離を、端部２６ｂ  が底面に当接した状態の方が、端部２６ｃ  が底面に当接した状態よりも大きくしてある。
【００５５】
この第４実施形態では、図７に示すように、偏芯カム２６の端部２６ｂ  が凹所２７の底面に当接した状態で平面的な原稿媒体の画像データを取得し、図８に示すように、端部２６ｃ  が底面に当接した状態でマウント付き原稿媒体の画像データを取得する。偏芯カム２６の端部２６ｂ  を底面に当接させるには、キャリッジ３を図７上矢標Ｐ方向へ移動させる。この移動により、偏芯カム２６はプラテンガラス８に押圧されている摩擦力を受けて、軸２６ａ  を中心として図７上反時計回り方向に回動して同図の状態となる。この状態で、さらにキャリッジ３が移動しても、偏芯カム２６は回動せず、軸２６ａ  からプラテンガラス８までの距離が維持され、偏芯カム２６はプラテンガラス８に対して擦過することになる。他方、偏芯カム２６の端部２６ｃ  を底面に当接させるには、図８上矢標Ｑ方向へキャリッジ３を移動させる。この移動により偏芯カム２６がプラテンガラス８との摩擦力により、軸２６ａ  を中心として図８上時計回り方向に回動し、同図の状態となる。この状態でキャリッジ３が矢標Ｑ方向へ移動しても、偏芯カム２６の状態が維持され、偏芯カム２６はプラテンガラス８を擦過することになる。
【００５６】
そして、偏芯カム２６が、その端部２６ｂ  が凹所２７の底面に当接した状態で、キャリッジ３を図７上矢標Ｐ方向へ移動させながら平面的な原稿媒体の画像データを、また端部２６ｃ  が底面に当接した状態で、キャリッジ３を図８上矢標Ｑ方向へ移動させながらマウント付き原稿媒体の画像データを、それぞれ取得する。すなわち、図７に示すように端部２６ｂ  が底面に当接した状態と、図８に示すように端部２６ｃ  が底面に当接した状態とは、偏芯カム２６の軸２６ａ  とプラテンガラス８との距離はマウント付き原稿媒体のマウント表面から画像形成面までの距離と等しくしてあるから、いずれの原稿媒体であっても、画像形成面からラインセンサ１４までの空気中換算光路長は等しく一定となるので、これら原稿媒体の画像データを確実に取得することができる。
【００５７】
図９及び図１０には、第５実施形態を示してある。この実施形態では、キャリッジ３に対して移動する作動手段として切替ロッド３１を備えているものである。この切替ロッド３１はキャリッジ３とプラテンガラス８との間に配されており、中央部に膨出部３２が形成されており、この膨出部３２の上面がプラテンガラス８に押圧されるようにしてある。キャリッジ３には、前記膨出部３２が収容される凹所３３が形成されている。この凹所３３には段差が設けられて第１底面３３ａ  と第２底面３３ｂ  とが形成されている。これら底面３３ａ  、３３ｂ  の間には傾斜面３３ｃ  が形成されている。これら底面３３ａ  、３３ｂ  のそれぞれとプラテンガラス８から距離の差は、マウント付き原稿媒体のマウント表面から画像形成面までの距離とほぼ等しくしてある。なお、本実施形態では、プラテンガラス８までの距離は、第１底面３３ａ  よりも第２底面３３ｂ  の方が大きくしてある。また、前記切替ロッド３１の両端部は、キャリッジ３の読取走査のための移動方向に沿ってキャリッジ３の側面から後述する動作を果たすのに必要な長さで外側に突出させてある。
【００５８】
この第５実施形態に係る画像読取装置では、前記膨出部３２が図９に示すように、第１底面３３ａ  に位置している状態で平面的な原稿媒体の画像データを、膨出部３２が図１０に示すように、第２底面３３ｂ  に位置している状態でマウント付き原稿媒体の画像データを、それぞれ取得する。膨出部３２を第１底面３３ａ  に位置させるには、キャリッジ３の移動によって切替ロッド３１の図９上の右端部を筐体２の壁面に当接させ、さらにキャリッジ３を該壁面まで移動させることにより行う。切替ロッド３１の右端部を筐体２の壁面に当接させた状態でさらにキャリッジ３を移動させると、切替ロッド３１がキャリッジ３に対して移動し、図９に示すように、膨出部３２が傾斜面３３ｃ  を上って第１底面３３ａ  に位置することになり、この状態で、キャリッジ３を移動させて読取走査を行わせる。また、膨出部３２を第２底面３３ｂ  に位置させるには、切替ロッド３１の図１０上の左端部を筐体２の壁面に当接させ、さらにキャリッジ３を該壁面まで移動させることにより行う。切替ロッド３１の左端部を筐体２の壁面に当接させた状態でさらにキャリッジ３を移動させると、切替ロッド３１がキャリッジ３に対して移動し、図１０に示すように、膨出部３２が傾斜面３２ｃ  を下って第２底面３３ｂ  に位置することになり、この状態で、キャリッジ３を移動させて読取走査を行う。平面的な原稿媒体とマウント付き原稿媒体とのいずれの場合も、図１１に示すように、画像データの読み取りは走査領域Ｓで行われる。また、走査領域Ｓの両側には、筐体２の壁面との間で切替領域Ｆが設けられており、画像データを読み取る原稿媒体に応じて、キャリッジ３をこの切替領域Ｆで移動させて、前述したように切替ロッド３１を所望の方向に移動させる。
【００５９】
前記膨出部３２が第１底面３３ａ  と第２底面３３ｂ  とのそれぞれに位置した場合では、プラテンガラス８とキャリッジ３との距離の差を、マウント付き原稿媒体のマウント表面から画像形成面までの距離とほぼ等しくしてある。このため、平面的な原稿媒体とマウント付き原稿媒体のそれぞれの画像データを取得する場合に、いずれの場合も原稿形成面からラインセンサ１４に至る空気中換算光路長を等しく一定とすることができ、確実に画像データを取得することができる。
【００６０】
図１２及び図１３は、第５実施形態の変形例を示している。この変形例では、前記膨出部３２にローラ３４を回動可能に支持させて、このローラ３４を前記凹所３３の底面３３ａ  、３３ｂ  、３３ｃ  に載置させたものである。このため、切替ロッド３１の凹所３３内での移動が円滑となり、原稿媒体に応じた切替動作を円滑に行わせることができる。このため、切替ロッド３１が該ローラ３４に対して円滑に移動できるように、金属やフッ素樹脂、ナイロン樹脂等の合成樹脂など摩擦力が小さい材料を用いることが望ましい。
【００６１】
図１４及び図１５は、第６実施形態を示すものである。この実施形態では、キャリッジ３に作動手段として切替ベース３６が移動可能に設けられている。キャリッジ３の上部には、上端部がプラテンガラス８に押圧されるローラ３７が回動可能に支持されており、前記切替ベース３６はこのローラ３７を載置する状態に設けられている。このローラ３７には、後述するように、切替ベース３６が該ローラ３７に対して円滑に移動できるように、金属やフッ素樹脂、ナイロン樹脂等の合成樹脂など摩擦力が小さい材料を用いることが望ましい。切替ベース３６にはローラ３７を収容する凹所３８が形成されており、この凹所３８の底面には段差が設けられて第１底面３８ａ  と第２底面３８ｂ  とされている。また、これら底面３８ａ  、３８ｂ  の間は傾斜面３８ｃ  で連絡されている。これら底面３８ａ  、３８ｂ  とプラテンガラス８との距離の差は、マウント付き原稿媒体のマウント表面から画像形成面までの距離とほぼ等しくしてある。すなわち、これら第１底面３８ａ  と第２底面３８ｂ  は、読取光学系の光軸方向の位置を異ならせてある。なお、本実施形態では、プラテンガラス８までの距離は、第１底面３８ａ  よりも第２底面３８ｂ  の方が大きくしてある。また、前記切替ベース３６の両端部は、キャリッジ３の読取走査のための移動方向に沿ってキャリッジ３の側面から後述する動作を果たすのに必要な長さで外側に突出させてある。
【００６２】
この第６実施形態に係る画像読取装置では、前記ローラ３７が図１４に示すように、第１底面３８ａ  に位置している状態で平面的な原稿媒体の画像データを、ローラ３７が図１５に示すように、第２底面３８ｂ  に位置している状態でマウント付き原稿媒体の画像データを、それぞれ取得する。ローラ３７を第１底面３８ａ  に位置させるには、キャリッジ３の移動によって切替ベース３６の図１４上の右端部を筐体２の壁面に当接させ、さらにキャリッジ３を該壁面まで移動させることにより行う。切替ベース３６の右端部を筐体２の壁面に当接させた状態でさらにキャリッジ３を移動させると、切替ベース３６がキャリッジ３に対して移動し、図１４に示すように、切替ベース３６がローラ３７に対して移動して、該ローラ３７を第１底面３８ａ  に位置させることになり、この状態で、キャリッジ３を移動させて読取走査を行わせる。また、ローラ３７を第２底面３８ｂ  に位置させるには、切替ベース３６の図１５上の左端部を筐体２の壁面に当接させ、さらにキャリッジ３を該壁面まで移動させることにより行う。切替ベース３６の左端部を筐体２の壁面に当接させた状態でさらにキャリッジ３を移動させると、切替ベース３６がキャリッジ３に対して移動し、図１５に示すように、ローラ３７に対して移動して該ローラ３７を第２底面３８ｂ  に位置させることになり、この状態で、キャリッジ３を移動させて読取走査を行う。平面的な原稿媒体とマウント付き原稿媒体とのいずれの場合も、第５実施形態の場合と同様に、図１１に示すように、画像データの読み取りは走査領域Ｓで行われる。また、走査領域Ｓの両側には、筐体２の壁面との間で切替領域Ｆが設けられており、画像データを読み取る原稿媒体に応じて、キャリッジ３をこの切替領域Ｆで移動させて、前述したように切替ベース３６を所望の方向に移動させる。
【００６３】
前記ローラ３７が第１底面３８ａ  と第２底面３８ｂ  とのそれぞれに位置した場合では、プラテンガラス８とキャリッジ３との距離の差がマウント付き原稿媒体のマウント表面から画像形成面までの距離とほぼ等しくしてある。このため、平面的な原稿媒体とマウント付き原稿媒体のそれぞれの画像データを取得する場合に、いずれの場合も原稿形成面からラインセンサ１４に至る空気中換算光路長を等しく一定とすることができ、確実に画像データを取得することができる。
【００６４】
図１６及び図１７は、第６実施形態の変形例を示している。この変形例では、前記切替ベース３６の下部とキャリッジ３との間にローラ３９を介在させたものである。このローラ３９はキャリッジ３に回動可能に支持されており、切替ベース３６の移動時にはこのローラ３９が回動して円滑に移動できるようにしてある。このため、このローラ３７には、切替ベース３６が該ローラ３９に対して円滑に移動できるように、金属やフッ素樹脂、ナイロン樹脂等の合成樹脂など摩擦力が小さい材料を用いることが望ましい。
【００６５】
図１８及び図１９は、第７実施形態を示している。この実施形態では、キャリッジ３に読取走査の移動方向を長手方向とした駆動ロッド４１を摺動可能で、回動不可能に支持させてあり、この駆動ロッド４１に偏芯させて円筒偏芯カム４２が遊挿されている。また、カム筒４２は通常の捜査範囲内では軸方向へ移動することがない状態でキャリッジ３に保持されている。この円筒偏芯カム４２は両端部にフランジ部４２ａ  が形成されており、このフランジ部４２ａ  の上端部がプラテンガラス８に押圧されるようにしてある。円筒偏芯カム４２には螺旋に沿ってカム溝４３が形成されており、前記駆動ロッド４１に植設されたカムピン４１ａ  がこのカム溝４３に遊挿されている。そして、このカムピン４１ａ  がカム溝４３の一端部に位置した状態と他端部に位置した状態とでは、前記駆動ロッド４１からプラテンガラス８までの距離が異なることになり、この距離の差は、マウント付き原稿媒体のマウント表面から画像形成面までの距離とほぼ等しくしてある。なお、この実施形態では、図１８において、カムピン４１ａ  がカム溝４２の左端部に位置した状態で図１９（ａ）に示すように、駆動ロッド４１とプラテンガラス８との距離が最大となり、カム溝４２の右端部に位置した状態で図１９（ｂ）に示すように、駆動ロッド４１とプラテンガラス８との距離が最小となるようにしてある。また、前記駆動ロッド４１の両端部は、キャリッジ３の読取走査のための移動方向に沿ってキャリッジ３の側面から後述する動作を果たすのに必要な長さで外側に突出させてある。
【００６６】
この第７実施形態に係る画像読取装置では、前記カムピン４１ａ  が図１８においてカム溝４３の左端部に位置している状態で平面的な原稿媒体の画像データを、カムピン４１ａ  が右端部に位置している状態でマウント付き原稿媒体の画像データを、それぞれ取得する。ローラ３７をカム溝４３の左端部に位置させるには、キャリッジ３を移動させて、駆動ロッド４１の図１８における右端部を筐体２の壁面に当接させ、さらにキャリッジ３を外壁面まで移動させることにより行う。駆動ロッド４１の図１８上の右端部を筐体２の壁面に当接させた状態でさらにキャリッジ３を移動させると、駆動ロッド４１が円筒偏芯カム４２に対して移動し、そのカムピン４１ａ  がカム溝４３を左方向に移動して、図１８に示すように、カム溝４３の左端部に位置することになる。このとき、円筒偏芯カム４２は図１９（ａ）に示すように、駆動ロッド４１をプラテンガラス８から最も離隔させた位置に位置付かせる。この状態で、キャリッジ３を移動させて読取走査を行わせる。また、カムピン４１ａ  をカム溝４３の右端部に位置させるには、駆動ロッド４１の図１８上の左端部を筐体２の壁面に当接させ、さらにキャリッジ３を該壁面まで移動させることにより行う。駆動ロッド４１の左端部を筐体２の壁面に当接させた状態でさらにキャリッジ３を移動させると、該駆動ロッド４１が図１８に示す位置から円筒偏芯カム４２に対して右方向へ移動する。この駆動ロッド４１の移動によってカムピン４１ａ  がカム溝４３内を同方向に移動し、駆動ロッド４１は回動しないから、カムピン４１ａ  の移動によって円筒偏芯カム４２が駆動ロッド４１に対して回動する。この円筒偏芯カム４２の回動により、カムピン４１ａ  がカム溝４３の右端部に位置した状態で、図１９（ｂ）に示すように、駆動ロッド４１とプラテンガラス８との距離が最小となる。この状態で、キャリッジ３を移動させて読取走査を行う。平面的な原稿媒体とマウント付き原稿媒体とのいずれの場合も、第５実施形態の場合と同様に、図１１に示すように、画像データの読み取りは走査領域Ｓで行われる。また、走査領域Ｓの両側には、筐体２の壁面との間で切替領域Ｆが設けられており、画像データを読み取る原稿媒体に応じて、キャリッジ３をこの切替領域Ｆで移動させて、前述したように駆動ロッド４１を所望の方向に移動させる。走査領域Ｓをキャリッジ３が移動する際には、円筒偏芯カム４２はそのフランジ部４２ａ  がプラテンガラス８に対して擦過することになる。この際、フランジ部４２ａ  に作用する摩擦力は、円筒偏芯カム４２の回動方向と直交する方向であるため、該円筒偏芯カム４２が不用意に回動して、フランジ部４２ａ  のプラテンガラス８に対する接触位置が変化することがない。
【００６７】
カムピン４１ａ  がカム溝４３の、図１８上左右それぞれの端部に位置した場合では、プラテンガラス８とキャリッジ３との距離の差がマウント付き原稿媒体のマウント表面から画像形成面までの距離とほぼ等しくしてある。このため、平面的な原稿媒体とマウント付き原稿媒体のそれぞれの画像データを取得する場合に、いずれの場合も原稿形成面からラインセンサ１４に至る空気中換算光路長を等しく一定とすることができ、確実に画像データを取得することができる。
【００６８】
以上に説明した第５実施形態から第７実施形態では、作動手段である切替ロッド３１、切替ベース３６、駆動ロッド４１を、キャリッジ３を走査方向に移動させることにより壁面に当接させて移動させる構造として説明したが、これら作動手段はキャリッジ３を走査方向と直交する方向に移動させることにより走査方向に沿った壁面に当接させて移動させる構造とすることもできる。斯かる構造とする場合には、キャリッジ３を走査方向と直交する方向に駆動するための駆動源を必要とし、作動手段の移動後にキャリッジ３を操作位置まで戻す操作を行った後に読取走査を行う。また、前記ガイドロッド４を避けて作動手段を移動させる構造とする。
【００６９】
また、作動手段である切替ロッド３１、切替ベース３６、駆動ロッド４１を筐体２の壁面に当接させることにより移動する構造について説明したが、例えば、筐体２の壁面やプラテンガラス８の裏面に係合ロッド等を突設させ、キャリッジの移動によりこの係合ロッドに作動手段が係合することにより移動して、キャリッジとプラテンガラス８との距離を変更するようにしても構わない。斯かる係合ロッドなどを設けた構造では、切替ロッド３１、切替ベース３６、駆動ロッド４１をキャリッジ３から突出させる必要がない。
【００７０】
【発明の効果】
以上説明したように、この発明に係る画像読取装置によれば、画像形成面が、ＰＰＣ用紙や印画紙のように平面的で、プラテンガラスに載置した状態で、画像形成面がプラテンガラスに密着する原稿媒体であっても、マウント付き原稿媒体のように、画像形成面がマウント表面から離隔した位置にあり、プラテンガラスに載置した状態で画像形成面がプラテンガラスから離隔して位置する原稿媒体であっても、原稿媒体の種類に応じて、ガラスを着脱することによって空気中換算光路長を変更できるから、これらの原稿媒体の反射光はいずれも、光電変換素子の受光面に結像させられる。このため、確実に画像データを取得することができ、該画像データを基に再生された画像を鮮明なものとすることができる。しかも、ガラスを着脱させるだけでよく、簡単な作業で、いずれの原稿にも対処することができる。
【００７１】
また、請求項２の発明に係る画像読取装置によれば、キャリッジの走査区間を変更することにより、平面的な原稿媒体に対しても、マウント付き原稿媒体に対しても対応させることができるから、画像データを取得すべき原稿媒体に対応した走査区間に該原稿媒体を載置させればよく、簡単な操作で種類の異なる原稿媒体の画像データを確実に取得することができる。
【００７２】
また、請求項３の発明に係る画像読取装置によれば、画像形成面が、プラテンガラスに密着する原稿媒体であっても、プラテンガラスから離隔した位置にある原稿媒体であっても、原稿媒体に応じて読取走査の領域を変更することにより、空気中換算光路長を等しくして画像データを取得することができる。したがって、原稿媒体に応じてプラテンガラスへの載置位置を変更することにより対応でき、画像データの取得作業を迅速に行うことができる。
【００７３】
また、請求項４の発明に係る画像読取装置によれば、キャリッジの移動方向に応じて平面的な原稿媒体であっても、マウント付き原稿媒体であっても確実に画像データを取得することができる。しかも、キャリッジは、従来の構造の画像読取装置であっても、画像データの取得のためには、初期位置から移動を開始して初期位置まで戻る必要があるから、往復移動させることが必要となり、この往復移動のうちの往路または復路のいずれか一方で平面的な原稿媒体から、他方でマウント付き原稿媒体から画像データを取得するようにすることができ、従来の構造をほとんど変更する必要がなく、異なる原稿媒体から確実に画像データを取得することができるようにすることができる。
【００７４】
また、請求項５の発明に係る画像読取装置によれば、画像形成面が、プラテンガラスに密着する原稿媒体であっても、プラテンガラスから離隔した位置にある原稿媒体であっても、キャリッジの移動方向を変更することにより、空気中換算光路長を等しくして画像データを取得することができる。したがって、原稿媒体に応じて載置位置を変更することもなく、走査方向を異ならせるだけでよいから、画像データの取得作業をより簡便に行うことができる。
【００７５】
また、請求項６の発明に係る画像読取装置によれば、画像形成面が、プラテンガラスに密着する原稿媒体であっても、プラテンガラスから離隔した位置にある原稿媒体であっても、キャリッジの移動方向を変更することにより、空気中換算光路長を等しくして画像データを取得することができる。したがって、原稿媒体に応じて載置位置を変更することもなく、走査方向を異ならせるだけでよいから、画像データの取得作業をより簡便に行うことができる。
【００７６】
また、請求項７の発明に係る画像読取装置によれば、簡単な構造の部品で、画像形成面が、プラテンガラスに密着する原稿媒体であっても、プラテンガラスから離隔した位置にある原稿媒体であっても、容易に空気中換算光路長を等しくして画像データを取得することができる。しかも、走査方向を異ならせるだけでよいから、画像データの取得作業をより簡便に行うことができる。
【００７７】
また、請求項８の発明に係る画像読取装置によれば、画像形成面が、プラテンガラスに密着する平面的な原稿媒体である場合と、プラテンガラスから離隔した位置にあるマウント付き原稿媒体である場合との切替を、キャリッジを走査領域以外に移動させて行うようにしたから、原稿媒体の種類に応じて確実に切り替えることができる。したがって、いずれの原稿媒体についても確実に画像データを取得することができる。
【００７８】
また、請求項９の発明に係る画像読取装置によれば、作動手段を、膨出部を備えた構造とし、キャリッジにこれを収容する底面に段差を設けた凹所を形成した構造としたから、原稿媒体の種類に応じて簡単な構造で、確実に切り替えることができる。
【００７９】
また、請求項１０の発明に係る画像読取装置によれば、作動手段の移動を転動体の回動によって行わせるようにしたから、該作動手段を円滑に移動させることができ、原稿媒体の種類に応じて、切替動作を確実に行わせることができる。
【００８０】
また、請求項１１の発明に係る画像読取装置によれば、作動手段の移動によって円筒偏芯カムを確実に切り替えられるので、原稿媒体の種類に応じて確実に画像データを取得することができる。
【００８１】
また、請求項１２の発明に係る画像読取装置によれば、作動手段の往復移動を円滑に行わせることができ、原稿媒体の種類の変更に確実に対応させることができる。
【００８２】
また、請求項１３の発明に係る画像読取装置によれば、マウント付き原稿媒体のように、画像形成面がマウント表面から離隔した位置にあり、プラテンガラスに載置した状態で画像形成面がプラテンガラスから離隔して位置する原稿媒体であっても、またＰＰＣ用紙や印画紙のように平面的で、プラテンガラスに載置した状態で画像形成面がプラテンガラスに密着する原稿媒体であっても、いずれの場合も画像形成面から光電変換素子に至る読取光学系の空気中換算光路長を等しく一定とすることができる。このため、これらの原稿媒体の反射光はいずれも、光電変換素子の受光面に結像するから、確実に画像データを取得することができ、該画像データを基に再生された画像を鮮明なものとすることができる。
【図面の簡単な説明】
【図１】この発明に係る画像読取装置の第１実施形態の概略の構造を示す側面図であり、平面的な原稿媒体の画像データを取得する際の状態を示している。
【図２】図１に示す第１実施形態を示す図で、マウント付き原稿媒体の画像データを取得する際の状態を示している。
【図３】この発明に係る画像読取装置の第２実施形態の概略の構造を示す側面図であり、平面的な原稿媒体の画像データを取得する際の状態を示している。
【図４】図３に示す第２実施形態を示す図で、マウント付き原稿媒体の画像データを取得する際の状態を示している。
【図５】この発明に係る画像読取装置の第３実施形態の概略の構造を示す側面図であり、平面的な原稿媒体の画像データを取得する際の状態を示している。
【図６】図５に示す第３実施形態を示す図で、マウント付き原稿媒体の画像データを取得する際の状態を示している。
【図７】この発明に係る画像読取装置の第４実施形態の概略の構造を示す側面図であり、平面的な原稿媒体の画像データを取得する際の状態を示している。
【図８】図７に示す第４実施形態を示す図で、マウント付き原稿媒体の画像データを取得する際の状態を示している。
【図９】この発明に係る画像読取装置の第５実施形態の概略の構造を示す側面図であり、平面的な原稿媒体の画像データを取得する際の状態を示している。
【図１０】図９に示す第５実施形態を示す図で、マウント付き原稿媒体の画像データを取得する際の状態を示している。
【図１１】第５実施形態に係る画像読取装置において、走査領域と切替領域を示す側面図である。
【図１２】図９に示した第５実施形態の変形例の概略の構造を示す側面図であり、平面的な原稿媒体の画像データを取得する際の状態を示している。
【図１３】図１２に示した変形例において、マウント付き原稿媒体の画像データを取得する際の状態を示している。
【図１４】この発明に係る画像読取装置の第６実施形態の概略の構造を示す側面図であり、平面的な原稿媒体の画像データを取得する際の状態を示している。
【図１５】図１４に示す第６実施形態を示す図で、マウント付き原稿媒体の画像データを取得する際の状態を示している。
【図１６】図１４に示した第６実施形態の変形例の概略の構造を示す側面図であり、平面的な原稿媒体の画像データを取得する際の状態を示している。
【図１７】図１６に示した変形例において、マウント付き原稿媒体の画像データを取得する際の状態を示している。
【図１８】この発明に係る画像読取装置の第７実施形態を示す図で、作動手段の斜視図である。
【図１９】図１８に示す第７実施形態を示すキャリッジの正面図で一部を省略して示してあり、（ａ）は平面的な原稿媒体の画像データを取得する際の状態を、（ｂ）はマウント付き原稿媒体の画像データを取得する際の状態を、それぞれ示している。
【図２０】イメージスキャナのキャリッジとこれに搭載される光学部品とを示す断面図である。
【図２１】この発明に係る画像読取装置としてイメージスキャナを示す概略の斜視図である。
【図２２】この発明に係る画像読取装置としてイメージスキャナの概略の構造を示す分解斜視図である。
【符号の説明】
１  イメージスキャナ（画像読取装置）
２  筐体
３  キャリッジ
４  ガイドロッド
５  駆動ベルト
６ａ、６ｂ  プーリ
７  駆動モータ
８  プラテンガラス
８ａ  第１ガラス
８ｂ  第２ガラス
１０  光源
１１  第１反射鏡
１２  ロッドレンズアレイ
１３  第２反射鏡
１４  ラインセンサ（光電変換素子）
１５  センサー基板
１６  摺動案内シート
１７  スペーサ
２１  転動体
２２  凹所
２２ａ  第１底面
２２ｂ  第２底面
２２ｃ  傾斜面
２６  偏芯カム（切替手段）
２６ａ  軸
２６ｂ、２６ｃ  端部
２７  凹所
３１  切替ロッド（作動手段）
３２  膨出部
３３  凹所
３４  ローラ
３６  切替ベース（作動手段）
３７  ローラ
３８  凹所
３８ａ  第１底面
３８ｂ  第２底面
３８ｃ  傾斜面
３９  ローラ
４１  駆動ロッド（作動手段）
４１ａ  カムピン
４２  円筒偏芯カム
４２ａ  フランジ部
４３  カム溝
【図１】
2004264444.tif 000003
【図２】
2004264444.tif 000004
【図３】
2004264444.tif 000005
【図４】
2004264444.tif 000006
【図５】
2004264444.tif 000007
【図６】
2004264444.tif 000008
【図７】
2004264444.tif 000009
【図８】
2004264444.tif 000010
【図９】
2004264444.tif 000011
【図１０】
2004264444.tif 000012
【図１１】
2004264444.tif 000013
【図１２】
2004264444.tif 000014
【図１３】
2004264444.tif 000015
【図１４】
2004264444.tif 000016
【図１５】
2004264444.tif 000017
【図１６】
2004264444.tif 000018
【図１７】
2004264444.tif 000019
【図１８】
2004264444.tif 000020
【図１９】
2004264444.tif 000021
【図２０】
2004264444.tif 000022
【図２１】
2004264444.tif 000023
【図２２】
2004264444.tif 000024